(57)【要約】【解決手段】導電外被１ｂで被覆された導電線１ａからなる主導線１及び絶縁中間層２ｂと導電外被２ｃで被覆された導電線２ａからなる補助導線２とから構成されているとともに、前記主導線１の導電外被１ｂと前記補助導線２の導電外被２ｃとが接合されている接地体Ｃ１に関するものである。【効果】接地体を、導電外被で被覆された導電線からなる主導線及び絶縁中間層と導電外被で被覆された導電線からなる補助導線とから構成するとともに、前記主導線の導電外被と前記補助導線の導電外被とを接合して構成したので、他の電線等と、その形状が異なるので、接地体と他の電線等との誤認の恐れを回避することができる。【選択図】図１
2004311266.tif 000002
【特許請求の範囲】
【請求項１】
導電外被で被覆された導電線からなる主導線及び絶縁中間層と導電外被で被覆された導電線からなる補助導線とから構成されているとともに、前記主導線の導電外被と前記補助導線の導電外被とが接合されていることを特徴とする接地体。
【請求項２】
導電外被で被覆された導電線からなる主導線、絶縁中間層と導電外被で被覆された導電線及び導電外被で被覆された導電線からなる検出導線とから構成されているとともに、前記主導線の導電外被と前記補助導線の導電外被及び前記主導線の導電外被と前記検出導線の導電外被とが、それぞれ接合されていることを特徴とする接地体。
【請求項３】
大地を削掘することにより形成された溝孔と該溝孔に埋設された接地体とを有する接地システムにおいて、前記接地体が、導電外被で被覆された導電線からなる主導線及び絶縁中間層と導電外被で被覆された導電線からなる補助導線とから構成されているとともに、前記主導線の一端と補助導線の一端とが電気的に接続されていることを特徴とする接地システム。
【請求項４】
大地を削掘することにより形成された溝孔と該溝孔に埋設された接地体とを有する接地システムにおいて、前記接地体が、導電外被で被覆された導電線からなる主導線、絶縁中間層と導電外被で被覆された導電線及び導電外被で被覆された導電線からなる検出導線とから構成されているとともに、前記主導線の一端と補助導線の一端とが電気的に接続されていることを特徴とする接地システム。
【発明の詳細な説明】
【０００１】
【発明の属する技術分野】
本発明は、種々の設備やこれら設備に接地された電気機器等の被接地システムに最適な接地体及び該接地体を用いた接地システムに関するものであり、特に、接地性能を確認することが容易な接地体及び該接地体を用いた接地システムに関するものである。
【０００２】
【従来の技術】
従来、サージ等の異常高電圧から電気機器等を防護するために、電気機器等に侵入したサージを大地に接地する接地システムとして、接地棒や接地銅板や裸撚り線等を、大地に削掘した溝孔に、直接、埋設して、接地システムを構築し、電気機器等に侵入したサージを、上記接地システムを介して吸収して、電気機器等を防護するようにした接地システムが知られている。
【０００３】
また、接地棒や接地銅板や裸撚り線を、大地に削掘した溝孔に、直接、埋設することなく、カーボン粉粒体とセメント等からなる接地抵抗低減材を介して埋設した接地システムも知られている。
【０００４】
更に、近年、外被を導電性被覆した接地体を、大地に削掘した溝孔に、直接、埋設するか、或いは、接地抵抗低減材を介して埋設した接地システムが知られている。
【０００５】
上述した従来の接地システムは、特開平７−１５３５０３号公報や特許第３２３８２８４号公報等に開示されている。
【０００６】
【発明が解決しようとする課題】
ところで、接地棒や接地銅板や裸撚り線等の裸状態の金属導体である接地体を、直接、大地に削掘した溝孔に埋設すると、接地体の腐食による断線事故を起こして、接地システムとしての機能が失われる恐れがある。
【０００７】
また、接地棒や接地銅板や裸撚り線の裸状態の金属導体からなる接地体と、カーボン粉粒体とセメントからなる接地抵抗低減材とを使用した接地システムにおいては、上述した裸状態の金属導体である接地体を、直接、大地に削掘した溝孔に埋設した場合に比べて、接地体の腐食進行の時間は遅いが、しかしながら、結局は、腐食の防止、即ち、腐食による断線事故の解決にはならず、従って、接地システムとして信頼性に欠けるという問題がある。
【０００８】
更に、外被を導電性被覆した接地体と接地抵抗低減材とを使用した接地システムにおいては、接地体の腐食が生じることはないが、施工等のバラツキにより、接地体の外被に接地抵抗低減材が正しく接触していないと、大地の水分による電気分解を起こし、外被が絶縁化して接地抵抗が高抵抗となり、接地システムとしての信頼性に欠けるという問題がある。また、外被を導電性被覆した接地体は、一般の電源電線に類似した形状を有しているので誤認される恐れがあり、接地体が、一般の電源電線と誤認された場合には、接地体の外被が導電性被覆であるために、感電等の事故の恐れがあるという問題がある。
【０００９】
本発明の目的は、上述した従来の接地体及び該接地体を用いた接地システムが有する課題を解決することにある。
【００１０】
【問題を解決するための手段】
本発明は、上述した目的を達成するために、接地体を、第１には、導電外被で被覆された導電線からなる主導線及び絶縁中間層と導電外被で被覆された導電線からなる補助導線とから構成するとともに、前記主導線の導電外被と前記補助導線の導電外被とを接合して構成したものであり、第２には、導電外被で被覆された導電線からなる主導線、絶縁中間層と導電外被で被覆された導電線及び導電外被で被覆された導電線からなる検出導線とから構成するとともに、前記主導線の導電外被と前記補助導線の導電外被及び前記主導線の導電外被と前記検出導線の導電外被とを、それぞれ接合して構成したものである。
【００１１】
また、大地を削掘することにより形成された溝孔と該溝孔に埋設された接地体とを有する接地システムにおいて、第１には、前記接地体を、導電外被で被覆された導電線からなる主導線及び絶縁中間層と導電外被で被覆された導電線からなる補助導線とにより構成するとともに、前記主導線の一端と補助導線の一端とを電気的に接続したものであり、第２には、前記接地体を、導電外被で被覆された導電線からなる主導線、絶縁中間層と導電外被で被覆された導電線及び導電外被で被覆された導電線からなる検出導線とにより構成するとともに、前記主導線の一端と補助導線の一端とを電気的に接続したものである。
【００１２】
【実施例】
以下、本発明の実施例について説明するが、本発明の趣旨を越えない限り何ら、本実施例に限定されるものではない。
【００１３】
先ず最初に、図１及び図２を用いて、接地体について説明する。
【００１４】
Ｃ１は、接地体であり、接地体Ｃ１は、主導線１と、主導線１の周囲に、螺旋状に接合された１本の補助導線２とにより構成されている。
【００１５】
主導線１は、銅材等の良導電性金属からなる導電線１ａと、該導電線１ａを被覆する、カーボン等の導電性粉粒が混練された導電性ポリマーから成形された導電外被１ｂとにより構成されている。また、補助導線２は、導電線２ａと、該導電線２ａを被覆する絶縁中間層２ｂと、該絶縁中間層２ｂを被覆する、上記主導線１の導電外被１ｂと同様の導電外被２ｃとから構成されており、主導線１の導電外被１ｂと補助導線２の導電外被２ｃとは接合されている。
【００１６】
主導線１と主導線１の周囲に螺旋状に接合された補助導線２とからなる接地体Ｃ１の長手方向に対して垂直な断面形状は、図２に示されているように、８の字状に形成されているので、断面形状が円形状の他の電線等とは、外見上、明確に識別することができるので、接地体Ｃ１と他の電線等との誤認の恐れを回避することができる。
【００１７】
次に、図３及び図４を用いて、別の実施例の接地体Ｃ２について説明する。
【００１８】
この実施例においても、導電外被１ｂで被覆された導電線１ａで構成される主導線１自体及び絶縁中間層２ｂと導電外被２ｃで被覆された導電線２ａで構成される補助導線２自体は、上述した実施例と同じであるので、同じ符号を使用するとともに、その詳細な説明は省略する。
【００１９】
この実施例においては、主導線１と１本の補助導線２とは、略平行に並設されており、主導線１の導電外被１ｂと補助導線２の導電外被２ｃとは、これら導電外被１ｂ、２ｃと同様の導電性材料で形成された帯状の接合体３により連結されている。帯状の接合体３には、所定の間隔で、軽量化のために透孔３ａが穿設されている。
【００２０】
上述したように、主導線１と補助導線２とを、帯状の接合体３を介して連結することにより、断面形状が円形状の他の電線等とは、外見上、明確に識別することができるので、接地体Ｃ２と他の電線等との誤認の恐れを回避することができる。
【００２１】
次に、図５及び図６を用いて、更に別の実施例の接地体Ｃ３について説明する。
【００２２】
この実施例においても、導電外被１ｂで被覆された導電線１ａで構成される主導線１自体及び絶縁中間層２ｂと導電外被２ｃで被覆された導電線２ａで構成される補助導線２自体は、上述した実施例と同じであるので、同じ符号を使用するとともに、その詳細な説明は省略する。
【００２３】
この実施例においては、主導線１と補助導線２に加えて、導電線４ａと、該導電線４ａを被覆する、上述した主導線１の導電外被１ｂと同様の導電外被４ｂとによる構成されている検出導線４を追加したものである。
【００２４】
主導線１を挟んで、且つ、主導線１と略平行に、補助導線２と検出導線４が並設されており、そして、主導線１の導電外被１ｂと補助導線２の導電外被２ｃとが接合されており、また、主導線１の導電外被１ｂと検出導線４の導電外被４ｂとが接合されている。
【００２５】
上述したように、主導線１を挟んで、補助導線２と検出導線４とを並設したので、接地体Ｃ３の長手方向に対して垂直な断面形状が、図６に示されているように、円が３つ連続した形状に形成されており、従って、断面形状が円形状の他の電線等とは、外見上、明確に識別することができるので、接地体Ｃ３と他の電線等との誤認の恐れを回避することができる。
【００２６】
次に、図７を用いて、上述した接地体Ｃ１〜Ｃ３のうち、一例として、図５及び図６に示されている接地体Ｃ３を用いた接地システムについて説明する。
【００２７】
大地Ｇに所定の深さに削掘した溝孔１０の底部１０ａに、カーボン粉粒とセメント等からなる接地抵抗低減材１１ａを配設する。また、図５に示されているように、接地体Ｃ３を構成する主導線１の導電外被１ｂ及び補助導線２を構成する絶縁中間層２ｂと導電外被２ｃを剥離して、主導線１と補助導線２の一方の端部に、主導線１の導電線１ａと補助導線２の導電線２ａとを、所定の長さ、露出させるとともに、露出された主導線１の導電線１ａと補助導線２の導電線２ａ同士を、電気的に接続する。更に、主導線１の導電線１ａと補助導線２の導電線２ａの露出部分は、導電線１ａ、２ａの腐食を防止するために、防水キャップ１２等による防水処理を施すとともに、更に、検出導線４の切断部分も、防水キャップ１３等による防水処理を施し、その後、接地体Ｃ３を、溝孔１０に設置する。
【００２８】
次に、主導線１から、補助導線２と検出導線４とを分離して、地表まで導出するとともに、溝孔１０に配置された接地体Ｃ３の上に、接地抵抗低減材１１ｂを配設して、その後、溝孔１０を土壌で埋め戻す。また、地表に導出された主導線１は、被接地システムに接続されることになる。補助導線２と検出導線４とは、図示されていない接地端子箱やハンドホール等に収容され、それぞれの絶縁端子に取り付けられて、接地システムＡが構築される。
【００２９】
上述したようにして構築された接地システムＡの断線等の確認を行う場合には、主導線１と補助導線２の間に、テスター等の測定器を配置して、接地システムＡの断線等の確認を行う。また、主導線１の導電外被１ｂの亀裂や絶縁化や消耗等の確認は、主導線１と検出導線４の間に、抵抗計等の測定器を配置して、主導線１の導電外被１ｂの亀裂や絶縁化や消耗等の確認を行う。
【００３０】
主導線１と補助導線２とから構成されている接地体Ｃ１、Ｃ２を、接地システムＡに使用するか、主導線１と補助導線２と検出導線４とから構成されている接地体Ｃ３を、接地システムＡに使用するかは、接地システムＡの状況等を判断して、適宜、選択をすればよい。
【００３１】
ポリオレフィン樹脂に、アセチレンブラックを、２０重量％程度を加えた樹脂で成形した主導線１の導電外被１ｂを用いた接地システムＡを、大地Ｇに埋設した実験の結果、１０年間放置しても、導電外被１ｂに損傷は確認されなかった。しかし、万が一、大地Ｇに直流の漏電電流が流れている場合、導電外被１ｂが、電気分解による絶縁化により、接地システムＡが高抵抗となることが考えられる。このような場合、主導線１と検出導線４とが、それぞれの導電外被１ｂ、４ｂで電気的に接合されているので、主導線１と検出導線４との間の抵抗測定により、容易に確認することができる。
【００３２】
また、電力線路の送電鉄塔において、送電鉄塔の接地状態を確認する場合、鉄塔は多点接地されている関係から、鉄塔上部に取付けられたグランドワイヤーを一時的に取外して、他の鉄塔と絶縁してから測定確認するということが行われていたが、本発明の接地システムＡにおいては、グランドワイヤーを鉄塔から外すことをなく、簡単に正確に且つ短時間に確認ができる。
【００３３】
更に、本発明の接地システムＡの実験によれば、主導線１として、断面積６０ｍｍ２  のスケア銅撚り線を用い、補助導線２として、絶縁被覆した断面積５．５ｍｍ２  のスケア銅撚り線を用いて、１００ｍを大地に埋設し施工した場合において、主導線１と補助導線２間の抵抗を測定した結果、抵抗値は１Ω以下であり、主導線１を１０ｃｍ程度切断した結果、抵抗値は１００Ω程度あり、主導線１の切断を確実に測定可能であることを確認できた。
【００３４】
更にまた、接地体Ｃ１〜Ｃ３の総面積が増大したので、大地Ｇとの接触面が増し、従って、接地システムＡの接地抵抗が小さくなるという効果も有する。
【００３５】
尚更に、主導線１に、補助導線２が螺旋状に配設された形状（接地体Ｃ１の場合）や、主導線１に、帯状の接合体３を介して、補助導線２が配設された形状（接地体Ｃ２の場合）や、主導線１を挟んで、補助導線２と検出導線４が配設された形状（接地体Ｃ３の場合）に形成されているので、接地体Ｃ１〜Ｃ３の外見は、他の電線等の外見とは大きく異なる。従って、接地体Ｃ１〜Ｃ３を、他の電線等と誤認するようなことを防止することができる。
【００３６】
なお、上述した実施例においては、カーボン粉粒とセメント等からなる接地抵抗低減材１１ａ、１１ｂが示されているが、これに限定されることなく、炭素繊維からなる接地抵抗低減材であってもよい。
【００３７】
【発明の効果】
本発明は、以上説明したように構成されているので、以下に記載される効果を奏する。
【００３８】
接地体を、導電外被で被覆された導電線からなる主導線及び絶縁中間層と導電外被で被覆された導電線からなる補助導線とから構成するとともに、前記主導線の導電外被と前記補助導線の導電外被とを接合して構成したので、他の電線等と、その形状が異なるので、接地体と他の電線等との誤認の恐れを回避することができる。
【００３９】
接地体を、導電外被で被覆された導電線からなる主導線、絶縁中間層と導電外被で被覆された導電線及び導電外被で被覆された導電線からなる検出導線とから構成するとともに、前記主導線の導電外被と前記補助導線の導電外被及び前記主導線の導電外被と前記検出導線の導電外被とを、それぞれ接合して構成したので、他の電線等と、その形状が異なるので、接地体と他の電線等との誤認の恐れを回避することができる。
【００４０】
接地体が、導電外被で被覆された導電線からなる主導線及び絶縁中間層と導電外被で被覆された導電線からなる補助導線とにより構成されているとともに、前記主導線の一端と補助導線の一端とが電気的に接続されているので、接地システムの断線の有無の確認や導電外被の絶縁化の状態等を、容易に、且つ、正確に確認することができる。
【００４１】
接地体が、導電外被で被覆された導電線からなる主導線、絶縁中間層と導電外被で被覆された導電線及び導電外被で被覆された導電線からなる検出導線とにより構成されているとともに、前記主導線の一端と補助導線の一端とが電気的に接続されているので、接地システムの断線の有無の確認や導電外被の絶縁化の状態等を、容易に、且つ、正確に確認することができ、更に、前記主導線と検出導線との間の抵抗を測定することにより、主導線の導電外被の損傷等を容易に確認することができる。
【図面の簡単な説明】
【図１】図１は、本発明の接地体の斜視図である。
【図２】図２は、図１に示されている接地体の断面図である。
【図３】図３は、本発明の接地体の他の実施例の斜視図である。
【図４】図４は、図３に示されている接地体の断面図である。
【図５】図５は、本発明の接地体の更に他の実施例の斜視図である。
【図６】図６は、図５に示されている接地体の断面図である。
【図７】図７は、本発明の一例としての接地システムの斜視図である。
【符号の説明】
Ａ・・・・・・・・・・・接地システム
Ｃ１〜Ｃ３・・・・・・・接地体
Ｇ・・・・・・・・・・・大地
１・・・・・・・・・・・主導線
２・・・・・・・・・・・補助導線
３・・・・・・・・・・・接合体
４・・・・・・・・・・・検出導線
１０・・・・・・・・・・溝孔
１１ａ、１１ｂ・・・・・接地抵抗低減材
【図１】
2004311266.tif 000003
【図２】
2004311266.tif 000004
【図３】
2004311266.tif 000005
【図４】
2004311266.tif 000006
【図５】
2004311266.tif 000007
【図６】
2004311266.tif 000008
【図７】
2004311266.tif 000009